(57)【要約】【課題】管部の構造を簡素化してこの管部を小型化しつつ、使用者が視認し易い位置で電気掃除機の運転状態を良好に表示できること。【解決手段】電動送風機８を備えた掃除機本体２と、この掃除機本体に着脱可能に接続され、集塵ホース２０、延長管２５及び吸込口体２６が順次接続されてなる管部３と、を有する電気掃除機１において、管部３には、発光部３１及び集光・表示部３２を有して電気掃除機の運転状態を表示する運転状態表示手段３０が設けられ、この運転状態表示手段の発光部３１が、集塵ホース体２０の手元操作管２２に設置されて電気掃除機の運転状態に応じて発光し、集光・表示部３２が、吸込口体２６または延長管２５の吸込口体側に設置され、表示部３１から放射されて空間を通過した光を反射して表示するよう構成されたものである。【選択図】  図１
2011229831.tif 000002
【特許請求の範囲】
【請求項１】
電動送風機を備えた掃除機本体と、この掃除機本体に着脱可能に接続され、集塵ホース体、延長管及び吸込口体が順次接続されてなる管部と、を有する電気掃除機において、
前記管部には、発光部及び表示部を有して電気掃除機の運転状態を表示する運転状態表示手段が設けられ、
この運転状態表示手段の前記発光部が、前記集塵ホース体の手元操作管に設置されて電気掃除機の運転状態に応じて発光し、
前記表示部が、前記吸込口体または前記延長管の前記吸込口体側に設置され、前記発光部から放射されて空間を通過した光を反射して表示するよう構成されたことを特徴とする電気掃除機。
【請求項２】
前記表示部は、発光部から放射された光を使用者の頭部の方向へ反射させる反射部材を備えて構成されたことを特徴とする請求項１に記載の電気掃除機。
【請求項３】
前記表示部は、発光部から放射された光を反射する複数の反射面が連続して凹状に配列されて構成されたことを特徴とする請求項１に記載の電気掃除機。
【請求項４】
前記表示部は、発光部から放射された光を反射する複数の反射面が連続して凸状に配列されて構成されたことを特徴とする請求項１に記載の電気掃除機。
【請求項５】
前記表示部には集光部が併設され、この集光部が、内面に設けられた反射部材により、発光部からの光を反射して集光し前記表示部へ導くよう構成されたことを特徴とする請求項２に記載の電気掃除機。
【請求項６】
前記反射部材または前記反射面が、鏡板または銀メッキにより構成されたことを特徴とする請求項２乃至５のいずれか１項に記載の電気掃除機。
【発明の詳細な説明】
【技術分野】
【０００１】
本発明の実施の形態は、電気掃除機の運転状態を表示可能な電気掃除機に関する。
【背景技術】
【０００２】
従来の電気掃除機には、掃除機本体に着脱自在に接続された管部の吸込口体に発光部が設置され、この発光部を発光させて、電気掃除機の使用者が視認し易い位置で、電気掃除機の運転状態を表示するものが知られている。このような電気掃除機では、掃除機本体から発光部まで、リード線などの給電手段を延設する必要がある。
【先行技術文献】
【特許文献】
【０００３】
【特許文献１】特開平５−１８４５０７号公報
【発明の概要】
【発明が解決しようとする課題】
【０００４】
また電気掃除機には、管部の吸込口体に、電動モータで駆動される回転ブラシが設置されたものがあり、このような電気掃除機では、掃除機本体から上記電動モータまでリード線などの給電手段が配設されている。
【０００５】
従って、管部の吸込口体に前述の発光部と電動モータが共に設置された電気掃除機では、発光部へ至る給電手段と電動モータへ至る給電手段とが管部に併設されることになり、管部の構造が複雑になって、この管部が大型化してしまう。
【０００６】
本発明における実施の形態の目的は、上述の事情を考慮してなされたものであり、管部の構造を簡素化してこの管部を小型化しつつ、使用者が視認し易い位置で電気掃除機の運転状態を良好に表示できる電気掃除機を提供することにある。
【課題を解決するための手段】
【０００７】
本発明の実施の形態は、電動送風機を備えた掃除機本体と、この掃除機本体に着脱可能に接続され、集塵ホース体、延長管及び吸込口体が順次接続されてなる管部と、を有する電気掃除機において、前記管部には、発光部及び表示部を有して電気掃除機の運転状態を表示する運転状態表示手段が設けられ、この運転状態表示手段の前記発光部が、前記集塵ホース体の手元操作管に設置されて電気掃除機の運転状態に応じて発光し、前記表示部が、前記吸込口体または前記延長管の前記吸込口体側に設置され、前記発光部から放射されて空間を通過した光を反射して表示するよう構成されたことを特徴とするものである。
【図面の簡単な説明】
【０００８】
【図１】本発明に係る電気掃除機における第１の実施の形態を示す斜視図。
【図２】図１の電気掃除機の使用状態を、使用者と共に示す斜視図。
【図３】図１の表示部などを示す縦断面図。
【図４】本発明に係る電気掃除機における第２の実施の形態の表示部を示す縦断面図。
【図５】本発明に係る電気掃除機における第３の実施の形態の表示部を示す縦断面図。
【発明を実施するための形態】
【０００９】
以下、本発明を実施するための最良の形態を、図面に基づき説明する。但し、本発明はこれらの実施の形態に限定されるものではない。
【００１０】
［Ａ］第１の実施の形態（図１〜図３）
図１は、本発明に係る電気掃除機における第１の実施の形態を示す斜視図である。また、図２は、図１の電気掃除機の使用状態を、使用者と共に示す斜視図である。
【００１１】
この図１に示す電気掃除機１は、いわゆるキャニスタ型の電気掃除機である。この電気掃除機１は、床やカーペットなどの被掃除面４（図２）上に配置される掃除機本体２と、この掃除機本体２に着脱自在に接続された管部３とを備える。
【００１２】
掃除機本体２は、本体ケース５と、この本体ケース５の両側方に軸支された一対の車輪６と、本体ケース５に設けられた集塵室１０と、この集塵室１０に連通された電動送風機８と、電動送風機８の駆動を制御する本体制御部９と、電動送風機８に電力を導く電源コード１１とを備える。
【００１３】
本体ケース５は、集塵室１０に連通された本体接続口１２を有する。この集塵室１０に集塵部７が収容される。この集塵部７は、電動送風機８が発生した負圧によって電気掃除機１に吸い込まれる塵埃を含んだ空気（含塵空気）から塵埃を分離し捕集する。また、車輪６は、掃除機本体２の走行用の大径の走行輪である。更に、電源コード１１は自由端部に電源プラグ１４を備える。
【００１４】
本体制御部９は、予め設定された複数の運転モードを有する。それぞれの運転モードは、管部３から入力される操作信号に対応づけられると共に、電動送風機８への出力値を互いに異ならせて設定する。そして、本体制御部９は、管部３から入力される操作信号に対応して複数の運転モードから任意の運転モードを択一的に選択し、電動送風機８を駆動する。
【００１５】
管部３は、電動送風機８の運転にともない掃除機本体２から作用する負圧によって、被掃除面４から含塵空気を吸い込み、掃除機本体２に案内する。管部３は、掃除機本体２の本体接続口１２に着脱自在に接続され、互いに連通して接続された接続管１９、集塵ホース２１及び手元操作管２２を備える集塵ホース体２０と、この集塵ホース体２０の手元操作管２２に着脱自在に接続されて連通される延長管２５と、この延長管２５に着脱自在に接続されて連通される吸込口体２６とを備える。
【００１６】
集塵ホース体２０の接続管１９が、掃除機本体２の本体接続口１２に着脱自在に接続される。また、集塵ホース体２０の集塵ホース２１は、可撓性を有する細長略円筒状に形成される。この集塵ホース２１と接続管１９との接続部分をホースカバー２７が覆う。更に、集塵ホース体２０の手元操作管２２には把持部２３が突設され、この把持部２３に操作部２４が設けられる。把持部２３は、電気掃除機１の使用者３８（図２）が把持して電気掃除機１を操作するものである。この把持部２３は、手元操作管２２の他端部側から突設され、手元操作管２２の一端部に向けて湾曲される。
【００１７】
操作部２４は、それぞれの運転モードに対応したスイッチを備える。具体的には、操作部２４は、電動送風機８の運転の停止を操作する停止スイッチ２４Ａと、電動送風機８の運転の開始を操作する起動スイッチ２４Ｂとを備える。起動スイッチ２４Ｂは、弱運転スイッチ（図示省略）、中運転スイッチ（図示省略）及び強運転スイッチ（図示省略）を別個に備える構成にしても良い。電気掃除機１の使用者３８は、操作部２４を操作して電動送風機８の運転モードを択一的に選択する。
【００１８】
延長管２５は、伸縮可能な細長略円筒状に形成される。この延長管２５は、複数の筒状体を重ね合わせてテレスコピック構造に構成される。延長管２５は、一端が集塵ホース体２０の手元操作管２２の他端に着脱自在に接続され、集塵ホース体２０（手元操作管２２、集塵ホース２１及び接続管１９）を介して掃除機本体２の内部に連通される。
【００１９】
吸込口体２６は、延長管２５の他端に着脱自在に接続され、延長管２５及び集塵ホース体２０を介して掃除機本体２の内部に連通される。また、吸込口体２６は、床やカーペットなどの被掃除面４上を走行可能に構成されると共に、走行状態において被掃除面４に対向する底面側に吸込口２８を有する。
【００２０】
電気掃除機１は、起動スイッチ２４Ｂが操作されると掃除機本体２内の電動送風機８を駆動させ、掃除機本体２の集塵室１０内に負圧（吸込負圧）を作用させる。この負圧は、本体接続口１２から集塵ホース体２０及び延長管２５を経て吸込口体２６の吸込口２８に作用する。吸込口２８に作用した負圧によって、電気掃除機１は、被掃除面４に溜まった塵埃を空気と共に吸込口２８から吸い込んで被掃除面４を掃除する。吸込口２８から吸い込まれた含塵空気は、集塵室１０内に収容された集塵部７によって空気と塵埃とに分離される。分離された塵埃は、集塵部７にて捕集される。他方、分離された空気は集塵部７を通過し、電動送風機８に吸い込まれて掃除機本体２から排出される。
【００２１】
ところで、集塵ホース体２０、延長管２５及び吸込口体２６が順次接続されてなる管部３には、発光部３１、及び表示部としての集光・表示部３２を有する運転状態表示手段３０が設置される。この運転状態表示手段３０は、電気掃除機１の現在の運転状態を表示するものである。ここで、電気掃除機１の運転状態としては、電動送風機８の運転モード（起動、停止、吸込負圧の強弱など）、塵埃の吸込状態（塵埃の吸込量の多少、塵埃の吸込の有無など）、集塵部７の満杯状態、集塵部７が装填されていないなどのエラー状態等である。
【００２２】
発光部３１は、例えばＬＥＤ（発光ダイオード）などの発光体を単一または複数備えて構成され、集塵ホース体２０の手元操作管２２に設置される。この発光部３１は、電気掃除機１の運転状態に応じて発光状態を変化させ、例えば光量を変化させたり、点滅させたり、色を変化させる。
【００２３】
集光・表示部３２は、吸込口体２６または延長管２５の吸込口体側に設置され、発光部３１から放射されて空間を通過した光αを集光し反射して表示するものである。この集光・表示部３２は、図３に示すように、表示部３３に集光部３４が一体に併設されて構成されている。
【００２４】
つまり、集光・表示部３２は、筒形状の単一のケーシング３５における光αの進行方向上流側部分を集光部３４とし、下流側部分を表示部３３として構成される。そして、このケーシング３５は、集光部３４として機能する上流側部分が、表示部３３として機能する下流側部分よりも、光αの上流方向に拡開してラッパ形状に形成される。
【００２５】
集光部３４は、ケーシング３５における光αの上流側部分の内面に、鏡または銀メッキなどの反射部材３７が配置されてなる。この反射部材３７が、発光部３１から放射された光αを反射して集光し、表示部３３へ導く。
【００２６】
表示部３３は、ケーシング３５における光αの下流側部分の内部に、１枚または複数枚（本実施の形態では２枚）の反射部材３６が設置されて構成される。この反射部材３６は例えば鏡板であり、発光部３１から放射され集光部３４にて集光された光αを、図２に示すように、電気掃除機１の使用者３８の頭部３９の方向へ反射させる。
【００２７】
従って、本実施の形態によれば、次の効果（１）〜（３）を奏する。
【００２８】
（１）管部３における吸込口体２６または延長管２５の吸込口体側に設置される集光・表示部３２は、発光部３１から放射されて空間を通過した光を集光し反射して、電気掃除機１の運転状態を表示するので、この集光・表示部３２までリード線等の給電部材を延設する必要がない。
【００２９】
発光部３１が吸込口体２６または延長管２５の吸込口体側に設置される場合には、この発光部３１まで掃除機本体２からリード線などの給電手段を延設しなければならない。特に、吸込口体２６に設置された回転ブラシを電動モータを用いて駆動させる場合には、この電動モータまで掃除機本体２から給電手段が延設される。従って、発光部３１用の給電手段と電動モータ用の給電手段とが掃除機本体２から吸込口体２６等まで共に延設されると、管部３の構造が複雑化され、管部３が大型化してしまう。
【００３０】
これに対し、本実施の形態では、手元操作管２２に設置された発光部３１まではリード線などの給電手段が掃除機本体２から延設されるが、吸込口体２６または延長管２５の吸込口体側に設置された集光・表示部３２には給電手段が不要となる。更に、発光部３１と集光・表示部３２との間に、光ファイバなどの電光部材を配設する必要もない。これらの結果、管部３の構造が簡略化されてこの管部を小型化でき、使用者３８が視認し易い位置（吸込口体２６または延長管２５の吸込口体側の位置）で、電気掃除機１の運転状態を良好に表示できる。
【００３１】
（２）集光・表示部３２における表示部３３の反射部材３６が、発光部３１からの光αを、電気掃除機１の使用者３８の頭部３９へ向けて反射させるよう構成されたので、電気掃除機１の使用者３８は、表示部３３からの光αを容易に視認でき、電気掃除機１の運転状態を的確に認識できる。更に、使用者３８以外の者に対しては、表示部３３からの光の影響を低減できる。
【００３２】
（３）集光・表示部３２の表示部３３には、発光部３１から放射された光αの上流側に集光部３４が併設され、発光部３１からの光αが集光部３４にて集光されて表示部３３へ導かれるので、表示部３３の反射部材３６が反射する光αの強度が高められる。この結果、表示部３３による運転状態表示の視認性を向上させることができる。
【００３３】
［Ｂ］第２の実施の形態（図４）
図４は、本発明に係る電気掃除機における第２の実施の形態の表示部を示す縦断面図である。この第２の実施の形態において、前記第１の実施の形態と同様な部分については、同一の符号を用いて説明を簡略化し、または省略する。
【００３４】
本実施の形態の電気掃除機が前記第１の実施の形態の電気掃除機１と異なる点は、前記第１の実施の形態の集光・表示部３２に代えて、表示部４１が吸込口体２６または延長管２５の吸込口体側に設置された点である。
【００３５】
この表示部４１は、凹形状の湾曲面を有するハウジング４２の上記湾曲面に、発光部３１から放射されて空間を通過した光αを反射して表示する複数の反射面４３が、連続して凹状に配列して構成されている。これらの反射面４３は、鏡または銀メッキ等にて形成され、発光部３１からの光αを異なった方向に反射させて集光させる。この集光された光の一部が、表示部４１から電気掃除機１の使用者３８の頭部３９に至る。
【００３６】
従って、本実施の形態によれば、前記第１の実施の形態の効果（１）と同様な効果を奏するほか、次の効果（４）を奏する。
【００３７】
（４）発光部３１からの光αが、表示部４１における、連続して凹状に配列された複数の反射面４３によって反射され集光されるので、この表示部４１によって光αの強度が高められる。この結果、表示部４１による運転状態表示の視認性を向上させることができる。
【００３８】
［Ｃ］第３の実施の形態（図５）
図５は、本発明に係る電気掃除機における第３の実施の形態の表示部を示す縦断面図である。この第３の実施の形態において、前記第１の実施の形態と同様な部分については、同一の符号を用いて説明を簡略化し、または省略する。
【００３９】
本実施の形態の電気掃除機が前記第１の実施の形態の電気掃除機１と異なる点は、前記第１の実施の形態の集光・表示部３２に代えて、表示部４５が吸込口体２６または延長管２５の吸込口体側に設置された点である。
【００４０】
この表示部４５は、半球形状または半円柱形状で凸形状の湾曲面を有するハウジング４６の上記湾曲面に、発光部３１から放射されて空間を通過した光αを反射して表示する複数の反射面４７が、連続して凸状に配列して構成されている。これらの反射面４７は、鏡または銀メッキ等にて形成され、発光部３１からの光αを異なった方向に拡散して反射させる。この拡散して反射された光の一部が、電気掃除機１の使用者３８の頭部３９に至る。
【００４１】
従って、本実施の形態によれば、前記第１の実施の形態の効果（１）と同様な効果を奏するほか、次の効果（５）を奏する。
【００４２】
（５）表示部４５における複数の反射面４７が連続して凸状に配列されたので、発光部３１からの光αをこれらの反射面４７にて異なった方向に拡散させることができる。この結果、電気掃除機１の使用者３８が視線位置を変化させた場合にも、表示部４５からの光を良好に視認することができる。
【００４３】
上述のように説明した各実施の形態によれば、管部３における吸込口体２６または延長管２５の吸込口体側に設置された表示部（集光・表示部３２、表示部４１、表示部４５）まで、リード線等の給電部材を掃除機本体２から延設する必要がないので、管部３の構造が簡素化されてこの管部３を小型化できる。このため、使用者３８が視認し易い吸込口体２６または延長管２５の吸込口体側の位置で、電気掃除機１の運転状態を良好に表示できる。
【符号の説明】
【００４４】
１  電気掃除機
２  掃除機本体
３  管部
８  電動送風機
２０  集塵ホース体
２２  手元操作管
２５  延長管
２６  吸込口体
３０  運転状態表示手段
３１  発光部
３２  集光・表示部（表示部）
３３  表示部
３４  集光部
３６、３７  反射部材
３８  使用者
３９  使用者の頭部
４１  表示部
４３  反射面
４５  表示部
４７  反射面
α  光
【図１】
2011229831.tif 000003
【図２】
2011229831.tif 000004
【図３】
2011229831.tif 000005
【図４】
2011229831.tif 000006
【図５】
2011229831.tif 000007